(57)【要約】 【課題】  ＭＩＤｌｅｔアプリケーションのアイコン情報の変更を可能とし、さらにユーザにアプリケーションの状態を直感的に知らせることができる携帯電話装置を含む通信システムを提供する。【解決手段】  携帯電話装置１からサーバ装置２に対してアイコン情報のリクエスト情報６を送信すると、サーバ装置２のアイコン情報生成／選択部７が、新たなアイコン情報を生成または選択し、サーバ装置２から携帯電話装置１に対して新たなアイコン情報を含むアイコン情報のレスポンス情報８を送信する。リクエスト情報６には、携帯電話装置が、記憶しているＭＩＤｌｅｔアプリケーションデータに関連する情報と、携帯電話装置に関連する情報とが含まれており、携帯電話装置１は、レスポンス情報８に含まれるアイコン情報に基づいて、表示するアイコン５を更新する。【選択図】      図１
2006339835.tif 000002
【特許請求の範囲】
【請求項１】
アイコン情報を含むＭＩＤｌｅｔアプリケーションデータを記憶し、ＭＩＤｌｅｔアプリケーションが実行可能な携帯端末装置と、この携帯端末装置とデータ通信可能なサーバ装置とを含む通信システムにおいて、
前記携帯端末装置が、記憶しているＭＩＤｌｅｔアプリケーションデータに関連する情報と、前記携帯端末装置に関連する情報とを前記サーバ装置に送信すると、
前記サーバ装置は、受信した前記各情報に基づいてアイコン情報を決定して前記携帯端末装置に送信し、
前記携帯端末装置は、受信したアイコン情報を新たなアイコン情報として記憶して表示することを特徴とする通信システム。
【請求項２】
ＭＩＤｌｅｔアプリケーションが実行可能な携帯端末装置と、この携帯端末装置とデータ通信可能なサーバ装置とを含む通信システムにおいて、
前記携帯端末装置は、
前記サーバ装置とデータ通信を行うための端末側通信手段と、
アイコン情報を含むＭＩＤｌｅｔアプリケーションデータと、前記携帯端末装置に関連する端末関連情報と、ＭＩＤｌｅｔアプリケーションデータに関連するアプリケーション関連情報とを記憶する記憶手段と、
前記アイコン情報に基づくアイコン画像を表示する表示手段と、
前記携帯端末装置を制御する端末側制御手段とを有し、
前記サーバ装置は、
前記携帯電話装置とデータ通信を行うためのサーバ側通信手段と、
前記端末関連情報と前記アプリケーション関連情報とに基づいてアイコン情報を決定する決定手段と、
前記サーバ装置を制御するサーバ側制御手段とを有し、
前記端末側制御手段が、前記端末関連情報と、前記記憶手段に記憶されているＭＩＤｌｅｔアプリケーションデータに関連するアプリケーション関連情報とを含むリクエスト情報を作成し、前記端末側通信手段が、このリクエスト情報を前記サーバ装置に送信し、
前記サーバ側通信手段が、前記携帯端末装置から前記リクエスト情報を受信すると、前記決定手段が、受信したリクエスト情報に含まれる端末関連情報とアプリケーション情報とに基づいてアイコン情報を決定し、前記サーバ側制御手段が、決定したアイコン情報を含むレスポンス情報を作成し、前記サーバ側通信手段が、このレスポンス情報を前記携帯端末装置に送信し、
前記端末側通信手段が、前記サーバ装置から前記レスポンス情報を受信すると、前記端末側制御手段が、前記記憶手段に記憶されているアイコン情報を、受信したレスポンス情報に含まれるアイコン情報に更新することを特徴とする通信システム。
【請求項３】
前記サーバ装置の決定手段は、受信したリクエスト情報に含まれる前記端末関連情報と前記アプリケーション関連情報とを反映させたアイコン情報を生成することを特徴とする請求項２記載の通信システム。
【請求項４】
前記サーバ装置の決定手段は、複数のアイコン情報から、受信したリクエスト情報に含まれる前記端末関連情報と前記アプリケーション関連情報とが反映されたアイコン情報を選択することを特徴とする請求項２記載の通信システム。
【請求項５】
前記携帯端末装置は、前記リクエスト情報の前記サーバ装置への送信を指示する指示手段を有し、
前記端末側送信手段は、前記指示手段の指示に基づいて前記リクエスト情報を送信することを特徴とする請求項２〜４のいずれか１つに記載の通信システム。
【請求項６】
前記指示手段は、ユーザの要求に基づいて指示を行うことを特徴とする請求項５記載の通信システム。
【請求項７】
前記記憶手段は、予め定める指定時刻を記憶し、
前記指示手段は、記憶されている前記指定時刻に指示を行うことを特徴とする請求項５記載の通信システム。
【請求項８】
前記レスポンス情報は、前記指定時刻を含むことを特徴とする請求項７記載の通信システム。
【請求項９】
ＭＩＤｌｅｔアプリケーションが実行可能な携帯端末装置と、この携帯端末装置とデータ通信可能なサーバ装置とを含む通信システムを構成する前記携帯端末装置において、
前記携帯端末装置は、
前記サーバ装置とデータ通信を行うための端末側通信手段と、
アイコン情報を含むＭＩＤｌｅｔアプリケーションデータと、前記携帯端末装置に関連する端末関連情報と、ＭＩＤｌｅｔアプリケーションデータに関連するアプリケーション関連情報とを記憶する記憶手段と、
前記アイコン情報に基づくアイコン画像を表示する表示手段と、
前記携帯端末装置を制御する端末側制御手段とを有し、
前記サーバ装置は、
前記携帯電話装置とデータ通信を行うためのサーバ側通信手段と、
前記端末関連情報と前記アプリケーション関連情報とに基づいてアイコン情報を決定する決定手段と、
前記サーバ装置を制御するサーバ側制御手段とを有し、
前記端末側制御手段が、前記端末関連情報と、前記記憶手段に記憶されているＭＩＤｌｅｔアプリケーションデータに関連するアプリケーション関連情報とを含むリクエスト情報を作成し、前記端末側通信手段が、このリクエスト情報を前記サーバ装置に送信し、
前記サーバ側通信手段が、前記携帯端末装置から前記リクエスト情報を受信すると、前記決定手段が、受信したリクエスト情報に含まれる端末関連情報とアプリケーション情報とに基づいてアイコン情報を決定し、前記サーバ側制御手段が、決定したアイコン情報を含むレスポンス情報を作成し、前記サーバ側通信手段が、このレスポンス情報を前記携帯端末装置に送信し、
前記端末側通信手段が、前記サーバ装置から前記レスポンス情報を受信すると、前記端末側制御手段が、前記記憶手段に記憶されているアイコン情報を、受信したレスポンス情報に含まれるアイコン情報に更新することを特徴とする携帯端末装置。
【発明の詳細な説明】
【技術分野】
【０００１】
本発明は、ＭＩＤｌｅｔアプリケーションが実行可能な携帯端末装置を含む通信システムに関する。
【背景技術】
【０００２】
携帯電話装置の多くは、通話機能のみならず電子メール送受信機能、ウェブページ閲覧機能、音楽再生機能、ナビゲーション機能など多機能を備えることを特徴としている。多機能化を実現する技術として、各機能に特化したアプリケーションソフトを予め記憶しておくか、またはダウンロードするなどして必要なときに記憶し、このアプリケーションソフトを適宜実行する技術がある。
【０００３】
携帯電話装置の演算処理能力および記憶容量は、パーソナルコンピュータなどの情報処理装置に比べて限定されるため、携帯電話装置に適したアプリケーションソフトが必要である。携帯電話装置向けに定義されたＪａｖａ（登録商標）実行環境の仕様の１つにＭＩＤＰ（Mobile Information Device Profile）があり、ＭＩＤＰ用に作られたＪａｖａアプリケーションであるＭＩＤｌｅｔアプリケーションは、携帯電話装置に適したアプリケーションソフトとなっている。ＭＩＤｌｅｔアプリケーションを使用することにより、携帯電話装置のような小形の携帯端末装置であっても、動きのある画面表示や双方向サービスなどが可能となり、さらなる多機能化が実現できる。
【０００４】
ＭＩＤｌｅｔアプリケーションの実行が可能な携帯電話装置は、“Mobile Information
Device Profile for JavaTM 2 Micro Edition Version2.0”（非特許文献１）および
“Version1.0”の仕様に従い、ＭＩＤｌｅｔアプリケーションのインストール時に同包されるアイコン情報に基づいてメニュー画面などにアイコンを表示する。携帯電話装置のユーザは、このアイコンを見ることでどのようなＭＩＤｌｅｔアプリケーションがインストールされているかを知ることができ、表示されているアイコンを選択して所望のＭＩＤｌｅｔアプリケーションを実行させることができる。
【０００５】
【非特許文献１】“Mobile Information Device Profile for JavaTM 2 Micro Edition Version2.0”、サン・マイクロシステムズ（Sun Microsystems）、２００２年１１月５日、ｐ．４３３
【発明の開示】
【発明が解決しようとする課題】
【０００６】
上記のように、画面に表示されるアイコンは、ＭＩＤｌｅｔアプリケーションを通信サーバからダウンロードし、インストールした時に同包されているアイコン情報に基づくアイコンしか表示するができず、インストールした後はアイコン情報を変更することができない。
【０００７】
また、画面に表示されるアイコンには、単なるアプリケーションの名称などの情報しか表示されず、アプリケーションの状態などを知るためには、ユーザはアプリケーションを実行して確かめる必要がある。
【０００８】
本発明の目的は、ＭＩＤｌｅｔアプリケーションのアイコン情報の変更を可能とし、さらにユーザにアプリケーションの状態を直感的に知らせることができる携帯電話装置を含む通信システムを提供することである。
【課題を解決するための手段】
【０００９】
本発明は、アイコン情報を含むＭＩＤｌｅｔアプリケーションデータを記憶し、ＭＩＤｌｅｔアプリケーションが実行可能な携帯端末装置と、この携帯端末装置とデータ通信可能なサーバ装置とを含む通信システムにおいて、
前記携帯端末装置が、記憶しているＭＩＤｌｅｔアプリケーションデータに関連する情報と、前記携帯端末装置に関連する情報とを前記サーバ装置に送信すると、
前記サーバ装置は、受信した前記各情報に基づいてアイコン情報を決定して前記携帯端末装置に送信し、
前記携帯端末装置は、受信したアイコン情報を新たなアイコン情報として記憶して表示することを特徴とする通信システムである。
【００１０】
また本発明は、ＭＩＤｌｅｔアプリケーションが実行可能な携帯端末装置と、この携帯端末装置とデータ通信可能なサーバ装置とを含む通信システムにおいて、
前記携帯端末装置は、
前記サーバ装置とデータ通信を行うための端末側通信手段と、
アイコン情報を含むＭＩＤｌｅｔアプリケーションデータと、前記携帯端末装置に関連する端末関連情報と、ＭＩＤｌｅｔアプリケーションデータに関連するアプリケーション関連情報とを記憶する記憶手段と、
前記アイコン情報に基づくアイコン画像を表示する表示手段と、
前記携帯端末装置を制御する端末側制御手段とを有し、
前記サーバ装置は、
前記携帯電話装置とデータ通信を行うためのサーバ側通信手段と、
前記端末関連情報と前記アプリケーション関連情報とに基づいてアイコン情報を決定する決定手段と、
前記サーバ装置を制御するサーバ側制御手段とを有し、
前記端末側制御手段が、前記端末関連情報と、前記記憶手段に記憶されているＭＩＤｌｅｔアプリケーションデータに関連するアプリケーション関連情報とを含むリクエスト情報を作成し、前記端末側通信手段が、このリクエスト情報を前記サーバ装置に送信し、
前記サーバ側通信手段が、前記携帯端末装置から前記リクエスト情報を受信すると、前記決定手段が、受信したリクエスト情報に含まれる端末関連情報とアプリケーション情報とに基づいてアイコン情報を決定し、前記サーバ側制御手段が、決定したアイコン情報を含むレスポンス情報を作成し、前記サーバ側通信手段が、このレスポンス情報を前記携帯端末装置に送信し、
前記端末側通信手段が、前記サーバ装置から前記レスポンス情報を受信すると、前記端末側制御手段が、前記記憶手段に記憶されているアイコン情報を、受信したレスポンス情報に含まれるアイコン情報に更新することを特徴とする通信システムである。
【００１１】
また本発明は、前記サーバ装置の決定手段は、受信したリクエスト情報に含まれる前記端末関連情報と前記アプリケーション関連情報とを反映させたアイコン情報を生成することを特徴とする。
【００１２】
また本発明は、前記サーバ装置の決定手段は、複数のアイコン情報から、受信したリクエスト情報に含まれる前記端末関連情報と前記アプリケーション関連情報とが反映されたアイコン情報を選択することを特徴とする。
【００１３】
また本発明は、前記携帯端末装置は、前記リクエスト情報の前記サーバ装置への送信を指示する指示手段を有し、
前記端末側送信手段は、前記指示手段の指示に基づいて前記リクエスト情報を送信することを特徴とする。
【００１４】
また本発明は、前記指示手段は、ユーザの要求に基づいて指示を行うことを特徴とする。
【００１５】
また本発明は、前記記憶手段は、予め定める指定時刻を記憶し、
前記指示手段は、記憶されている前記指定時刻に指示を行うことを特徴とする。
【００１６】
また本発明は、前記レスポンス情報は、前記指定時刻を含むことを特徴とする。
また本発明は、ＭＩＤｌｅｔアプリケーションが実行可能な携帯端末装置と、この携帯端末装置とデータ通信可能なサーバ装置とを含む通信システムを構成する前記携帯端末装置において、
前記携帯端末装置は、
前記サーバ装置とデータ通信を行うための端末側通信手段と、
アイコン情報を含むＭＩＤｌｅｔアプリケーションデータと、前記携帯端末装置に関連する端末関連情報と、ＭＩＤｌｅｔアプリケーションデータに関連するアプリケーション関連情報とを記憶する記憶手段と、
前記アイコン情報に基づくアイコン画像を表示する表示手段と、
前記携帯端末装置を制御する端末側制御手段とを有し、
前記サーバ装置は、
前記携帯電話装置とデータ通信を行うためのサーバ側通信手段と、
前記端末関連情報と前記アプリケーション関連情報とに基づいてアイコン情報を決定する決定手段と、
前記サーバ装置を制御するサーバ側制御手段とを有し、
前記端末側制御手段が、前記端末関連情報と、前記記憶手段に記憶されているＭＩＤｌｅｔアプリケーションデータに関連するアプリケーション関連情報とを含むリクエスト情報を作成し、前記端末側通信手段が、このリクエスト情報を前記サーバ装置に送信し、
前記サーバ側通信手段が、前記携帯端末装置から前記リクエスト情報を受信すると、前記決定手段が、受信したリクエスト情報に含まれる端末関連情報とアプリケーション情報とに基づいてアイコン情報を決定し、前記サーバ側制御手段が、決定したアイコン情報を含むレスポンス情報を作成し、前記サーバ側通信手段が、このレスポンス情報を前記携帯端末装置に送信し、
前記端末側通信手段が、前記サーバ装置から前記レスポンス情報を受信すると、前記端末側制御手段が、前記記憶手段に記憶されているアイコン情報を、受信したレスポンス情報に含まれるアイコン情報に更新することを特徴とする携帯端末装置である。
【発明の効果】
【００１７】
本発明によれば、アイコン情報を含むＭＩＤｌｅｔアプリケーションデータを記憶し、ＭＩＤｌｅｔアプリケーションが実行可能な携帯端末装置と、この携帯端末装置とデータ通信可能なサーバ装置とを含む通信システムである。
【００１８】
前記携帯端末装置が、記憶しているＭＩＤｌｅｔアプリケーションデータに関連する情報と、前記携帯端末装置に関連する情報とを前記サーバ装置に送信すると、前記サーバ装置は、受信した前記各情報に基づいてアイコン情報を決定して前記携帯端末装置に送信する。前記携帯端末装置は、受信したアイコン情報を新たなアイコン情報として記憶して表示する。
【００１９】
これにより、ＭＩＤｌｅｔアプリケーションのアイコン情報の変更が可能となる。さらに、新たなアイコン情報は、記憶しているＭＩＤｌｅｔアプリケーションデータに関連する情報と、携帯端末装置に関連する情報とに基づいて決定されるので、ユーザにアプリケーションの状態を直感的に知らせることができる。
【００２０】
また本発明によれば、ＭＩＤｌｅｔアプリケーションが実行可能な携帯端末装置と、この携帯端末装置とデータ通信可能なサーバ装置とを含む通信システムである。
【００２１】
端末側制御手段が、携帯端末装置に関連する端末関連情報と、記憶手段に記憶されているＭＩＤｌｅｔアプリケーションデータに関連するアプリケーション関連情報とを含むリクエスト情報を作成し、端末側通信手段が、このリクエスト情報を前記サーバ装置に送信する。
【００２２】
サーバ側通信手段は、前記携帯端末装置から前記リクエスト情報を受信し、決定手段は、受信したリクエスト情報に含まれる端末関連情報とアプリケーション情報とに基づいてアイコン情報を決定する。サーバ側制御手段は、決定したアイコン情報を含むレスポンス情報を作成し、前記サーバ側通信手段が、このレスポンス情報を前記携帯端末装置に送信する。
【００２３】
前記端末側通信手段は、前記サーバ装置から前記レスポンス情報を受信し、前記端末側制御手段が、前記記憶手段に記憶されているアイコン情報を、受信したレスポンス情報に含まれるアイコン情報に更新する。表示手段は、更新されたアイコン情報を表示する。
【００２４】
これにより、ＭＩＤｌｅｔアプリケーションのアイコン情報の変更が可能となる。さらに、新たなアイコン情報は、記憶しているＭＩＤｌｅｔアプリケーションデータに関連するアプリケーション関連情報と、携帯端末装置に関連する端末関連情報とに基づいて決定されるので、ユーザにアプリケーションの状態を直感的に知らせることができる。
【００２５】
また本発明によれば、前記サーバ装置の決定手段は、受信したリクエスト情報に含まれる前記端末関連情報と前記アプリケーション関連情報とを反映させたアイコン情報を生成する。
【００２６】
これにより、アプリケーションが状態をより分かり易いアイコン情報を決定することができる。
【００２７】
また本発明によれば、前記サーバ装置の決定手段は、複数のアイコン情報から、受信したリクエスト情報に含まれる前記端末関連情報と前記アプリケーション関連情報とが反映されたアイコン情報を選択する。
【００２８】
これにより、より簡単な構成で、ユーザにアプリケーションの状態を直感的に知らせることができる。
【００２９】
また本発明によれば、前記携帯端末装置の指示手段が、前記リクエスト情報の前記サーバ装置への送信を指示し、前記端末側送信手段は、前記指示手段の指示に基づいて前記リクエスト情報を送信する。
これにより、適切なタイミングでアイコン情報の更新を行うことができる。
【００３０】
また本発明によれば、前記指示手段は、ユーザの要求に基づいて指示を行う。
これにより、ユーザが所望するときにアイコン情報の更新を行うことができる。
【００３１】
また本発明によれば、前記指示手段は、前記記憶手段に記憶されている指定時刻に指示を行う。
これにより、ユーザが操作することなくアイコン情報の更新を行うことができる。
【００３２】
また本発明によれば、前記レスポンス情報は、前記指定時刻を含む。
これにより、サーバ装置を操作する側、すなわちＭＩＤｌｅｔアプリケーションの提供者側が所望するときにアイコン情報の更新を行うことができる。
【００３３】
また本発明によれば、ＭＩＤｌｅｔアプリケーションが実行可能な携帯端末装置と、この携帯端末装置とデータ通信可能なサーバ装置とを含む通信システムを構成する前記携帯端末装置である。
【００３４】
端末側制御手段が、携帯端末装置に関連する端末関連情報と、記憶手段に記憶されているＭＩＤｌｅｔアプリケーションデータに関連するアプリケーション関連情報とを含むリクエスト情報を作成し、端末側通信手段が、このリクエスト情報を前記サーバ装置に送信する。
【００３５】
サーバ側通信手段は、前記携帯端末装置から前記リクエスト情報を受信し、決定手段は、受信したリクエスト情報に含まれる端末関連情報とアプリケーション情報とに基づいてアイコン情報を決定する。サーバ側制御手段は、決定したアイコン情報を含むレスポンス情報を作成し、前記サーバ側通信手段が、このレスポンス情報を前記携帯端末装置に送信する。
【００３６】
前記端末側通信手段は、前記サーバ装置から前記レスポンス情報を受信し、前記端末側制御手段が、前記記憶手段に記憶されているアイコン情報を、受信したレスポンス情報に含まれるアイコン情報に更新する。表示手段は、更新されたアイコン情報を表示する。
【００３７】
これにより、ＭＩＤｌｅｔアプリケーションのアイコン情報の変更が可能となる。さらに、新たなアイコン情報は、記憶しているＭＩＤｌｅｔアプリケーションデータに関連するアプリケーション関連情報と、携帯端末装置に関連する端末関連情報とに基づいて決定されるので、ユーザにアプリケーションの状態を直感的に知らせることができる。
【発明を実施するための最良の形態】
【００３８】
図１は、本発明の実施の一形態である通信システム１００の構成を示す概略図である。
通信システム１００は、携帯電話装置１と、アイコン情報配信通信サーバ装置（以下では単に「サーバ装置」と呼ぶ）２とを含み、移動通信網およびインターネットなどの通信ネットワーク３を介して携帯電話装置１とサーバ装置２とが通信可能に構成されている。
【００３９】
携帯電話装置１は、移動通信網に接続して他の電話装置と電話通信を行うとともに、電子メールの送受信、ウェブページの閲覧、アプリケーションソフトのダウンロードなどのデータ通信を行うことができる携帯端末装置である。また、ＭＩＤｌｅｔアプリケーションの記憶、実行を行うことが可能であり、実行可能なＭＩＤｌｅｔアプリケーションを一覧表示する機能を有している。たとえば、図１のＭＩＤｌｅｔアプリケーション一覧表示例４に示すように、ＭＩＤｌｅｔアプリケーションごとにアイコン５と、アプリケーションの名称などを表示する。このアイコン５は、ＭＩＤｌｅｔアプリケーションのインストール時に、実行プログラムなどとともに同包されるアイコン情報の画像データに基づいて表示される画像であり、従来ではインストールした後に更新することができない画像である。
【００４０】
詳細は後述するが、本発明では、携帯電話装置１からサーバ装置２に対してアイコン情報のリクエスト情報（以下では単に「リクエスト情報」と呼ぶ）６を送信すると、サーバ装置２のアイコン情報生成／選択部７が、新たなアイコン情報を生成または選択し、サーバ装置２から携帯電話装置１に対して新たなアイコン情報を含むアイコン情報のレスポンス情報（以下では単に「レスポンス情報」と呼ぶ）８を送信する。携帯電話装置１は、このレスポンス情報８に含まれるアイコン情報に基づいて、表示するアイコン５を更新することができる。
【００４１】
図２は、携帯電話装置１の構成を示すブロック図である。携帯電話装置１は、アンテナ１０、送受信部１１、通信制御部１２、記憶部１３、制御部１４、表示部１５、音声復号化／符号化部１６、マイク１７、スピーカ１８およびキーボード１９を含んで構成される。
【００４２】
送受信部１１は、通信制御部１２の制御に基づいて電話通信用の音声情報およびデータ通信用の各種情報と、無線通信を行うための信号との変換を行い、アンテナ１０による電波の送受信を行う端末側通信手段である。記憶部１３は、設定情報記憶領域１３ａ、ＭＩＤｌｅｔアプリケーション情報記憶領域１３ｂ、アイコン情報記憶領域１３ｃを有し、電話通信を行うための電話通信制御プログラム、データ通信を行うためのデータ通信制御プログラムなどの各種プログラムの記憶、電話番号、電子メールアドレスなどの電話帳データの記憶などを行う記憶手段である。
【００４３】
設定情報記憶領域１３ａには、サーバ装置２のアドレスなどアイコン情報を更新する際の通信に必要なサーバ情報と、携帯電話装置１のユーザＩＤなど使用者に関する使用者情報と、使用言語など携帯電話装置の動作設定パラメータである端末設定情報と、アプリケーションの実行回数などユーザがアプリケーションを実行することで変化する情報である状態遷移情報と、を含む設定情報を記憶する。ＭＩＤｌｅｔアプリケーション情報記憶領域１３ｂには、アプリケーションの名称とベンダ情報とバージョン情報とからなるアプリケーション情報を含むＭＩＤｌｅｔアプリケーション情報を記憶する。アイコン情報記憶領域１３ｃは、各アプリケーションに対応付けられたアイコン画像データを含むアイコン情報を記憶する。
【００４４】
なお、使用者情報および端末設定情報は、携帯端末装置に関連する端末関連情報であり、アプリケーション情報および状態遷移情報は、ＭＩＤｌｅｔアプリケーションデータに関連するアプリケーション関連情報である。
【００４５】
制御部１４は、ＣＰＵ（中央演算処理装置）などで実現され、電話通信制御プログラムおよびデータ通信制御プログラムなどに基づいて携帯電話装置１全体の制御を行う端末側制御手段である。表示部１５は、液晶表示装置（ＬＣＤ）などで実現され、電話通信およびデータ通信に必要な画面表示を行う表示手段である。音声復号化／符号化部１６は、電話通信で送信するために、マイク１７から入力された音声信号を符号化し、受信した音声信号またはＭＩＤｌｅｔアプリケーションなどが作成した音声信号を復号化してスピーカ１８から出力する。キーボード１９は電話番号の入力、文章の入力、メニューの選択などを行うための数字キー、アルファベットキー、カーソルキーなどを備える。
【００４６】
図３は、サーバ装置２の構成を示すブロック図である。サーバ装置２は、送受信部２０、通信制御部２１、記憶部２２、制御部２３、表示部２４、およびキーボード２５を含んで構成される。
【００４７】
送受信部２０は、通信制御部２１の制御に基づいてデータ通信用の各種情報と、無線または有線通信を行うための信号との変換を行うサーバ側通信手段であり、通信ネットワークへの接続インターフェイスである。記憶部２２は、設定情報記憶領域２２ａ、ＭＩＤｌｅｔアプリケーション情報記憶領域２２ｂ、アイコン情報記憶領域２２ｃを有し、新たなアイコン情報の作成または選択を行うためのアイコン情報更新プログラム、データ通信を行うためのデータ通信制御プログラムなどの各種プログラムの記憶などを行う。
【００４８】
設定情報記憶領域２２ａおよびＭＩＤｌｅｔアプリケーション情報記憶領域２２ｂには、携帯電話装置１から送信された設定情報およびＭＩＤｌｅｔアプリケーション情報を、携帯電話装置１ごとに記憶する。アイコン情報記憶領域２２ｃは、レスポンス情報として携帯電話装置１に送信するために作成した新たなアイコン情報または、選択候補となるアイコン情報を記憶する。
【００４９】
制御部２３は、ＣＰＵなどで実現され、アイコン情報更新プログラムおよびデータ通信制御プログラムなどに基づいてサーバ装置２全体の制御を行うサーバ側制御手段である。表示部２４は、液晶表示装置（ＬＣＤ）などで実現され、データ通信に必要な画面表示を行う。キーボード２５はコマンドの入力などを行うための数字キー、アルファベットキー、カーソルキーなどを備える。
【００５０】
以下では、ＭＩＤｌｅｔアプリケーションの１例としてゲームのアプリケーションについて説明する。
【００５１】
ＭＩＤｌｅｔアプリケーションのアイコン情報を更新するタイミングには、主に以下の２種類ある。１つは、ユーザが更新を希望した時点で、ユーザの要求により更新を行う場合であり、もう１つは、予め定められた日時に自動で更新を行う場合である。
【００５２】
ユーザの要求により更新を行う場合は、メニューなどから要求を行うための画面などを表示させ、ユーザがキーボード１９を操作して入力することで、敬愛電話装置１がリクエスト情報６を作成し、設定情報記憶領域１３ａに記憶しているサーバ情報に基づいて、サーバ装置２に対して送信する。
【００５３】
自動で更新を行う場合は、ユーザが自ら決定および入力した時刻、サーバ装置２から送信されるレスポンス情報８に含まれる時刻などの指定時刻に基づいて、更新日時を設定する。現在の日時が設定日時となった時点で、携帯電話装置１がリクエスト情報６を作成し、設定情報記憶領域１３ａに記憶しているサーバ情報に基づいて、サーバ装置２に対して送信する。ここで、指定時刻とは、年、月、日、時および分などで示される時刻の情報だけではなく、曜日の情報、たとえば最後に更新してから７日後など期間の情報も含まれる。
【００５４】
アイコン情報の更新を自動で行うか否か（自動更新Ｏｎ／Ｏｆｆ）は、メニューなどからユーザによって選択可能に構成され、ＭＩＤｌｅｔアプリケーションごとに、アイコン情報の更新を自動で行うか否かを示す自動更新情報が設定情報記憶領域１３ａに記憶されている。
【００５５】
携帯電話装置１からサーバ装置２へ送信するリクエスト情報６は、図１にも示したように、設定情報記憶領域１３ａに記憶している端末設定情報、使用者情報および状態遷移情報と、ＭＩＤｌｅｔアプリケーション情報記憶領域１３ｂに記憶しているアプリケーション情報と、を含んで構成される。状態遷移情報としては、アプリケーションの実行回数の他に、ゲームのハイスコア（最高得点）、クリア面数やキャラクタのレベルなど進行状況を示す情報などを含む。
【００５６】
サーバ装置２は、携帯電話装置１からリクエスト情報６を受信すると、リクエスト情報６に含まれる情報を、記憶部２２の各記憶領域に記憶し、それらの内容に基づいて、決定手段である制御部２３がアイコン情報の生成、または予め生成された複数のアイコン情報から選択を行い、新たなアイコン情報を含むレスポンス情報８を、リクエスト情報６を送信した携帯電話装置１に送信する。携帯電話装置１は、レスポンス情報８を受信すると、レスポンス情報８に含まれる新たなアイコン情報を、アイコン情報記憶領域１３ｃに記憶する。ユーザによって、現在記憶しているＭＩＤｌｅｔアプリケーションの一覧表示が指示されると、記憶した新たなアイコン情報に基づくアイコンを表示部１５の所定の領域に表示する。
【００５７】
サーバ装置２によるアイコン情報の生成は、背景画像、キャラクタ画像などパーツとなる画像の画像データ（パーツ画像データ）を記憶部２２に予め複数記憶しておき、受信したリクエスト情報６の内容が反映されるようにパーツ画像データを選択して合成する。合成した画像データにさらにハイスコアなどの文字データなどを加えてもよい。
【００５８】
サーバ装置２によるアイコン情報の選択は、予め選択基準と、選択基準に応じたアイコン画像データとを関連付けて記憶部２２に記憶しておき、受信したリクエスト情報６の内容と選択基準とを比較し、受信したリクエスト情報６の内容が反映されたアイコン画像データを選択する。
【００５９】
以上のように、携帯電話装置１は、ＭＩＤｌｅｔアプリケーションのアイコン情報の更新が可能であり、さらに、リクエスト情報に応じたアイコン情報に更新されるので、ユーザにアプリケーションの状態を直感的に知らせることができる。
【００６０】
図４は、アイコン情報の初期処理を示すフローチャートである。ステップＳ１で、ユーザによってメニューなどからＭＩＤｌｅｔアプリケーションのインストールが選択され、ダウンロードされると、ステップＳ２で、ＭＩＤｌｅｔアプリケーション情報記憶領域１３ｂ等を参照して、既にインストールされているアプリケーションの中に同じものがあるかどうかを判断する。同じ物があればステップＳ３に進み、同じものがなければステップＳ６に進む。
【００６１】
ステップＳ３では、ダウンロードしたＭＩＤｌｅｔアプリケーションデータに含まれるアプリケーション情報を、ＭＩＤｌｅｔアプリケーション情報記憶領域１３ｂに上書き保存する。ステップＳ４では、ダウンロードしたＭＩＤｌｅｔアプリケーションデータに含まれるアイコン情報を、アイコン情報記憶領域１３ｃに上書き保存する。ステップＳ５では、ダウンロードしたＭＩＤｌｅｔアプリケーションデータに含まれるサーバ情報および自動更新情報を、設定情報記憶領域１３ａに上書き保存する。
【００６２】
ステップＳ６では、ダウンロードしたＭＩＤｌｅｔアプリケーションデータに含まれるアプリケーション情報を、ＭＩＤｌｅｔアプリケーション情報記憶領域１３ｂに新規保存する。ステップＳ７では、ダウンロードしたＭＩＤｌｅｔアプリケーションデータに含まれるアイコン情報を、アイコン情報記憶領域１３ｃに新規保存する。ステップＳ８では、ダウンロードしたＭＩＤｌｅｔアプリケーションデータに含まれるサーバ情報および自動更新情報を、設定情報記憶領域１３ａに新規保存する。
【００６３】
サーバ情報は、サーバ装置２のアドレスなどアイコン情報を更新する際の通信に必要な情報を含み、自動更新情報は、アイコン情報の更新を行う時刻、すなわちリクエスト情報６を作成してサーバ装置２に送信する時刻である指定時刻を含む。
【００６４】
ゲームのＭＩＤｌｅｔアプリケーションをイントールした場合、アプリケーション情報とゲームのキャラクタ画像がアイコン画像となっているアイコン情報とが、それぞれＭＩＤｌｅｔアプリケーション情報記憶領域１３ｂとアイコン情報記憶領域１３ｃとに保存される。アイコン情報を週ごとに更新させるために、サーバ情報とインストールから一週間後の時刻が設定情報記憶領域１３ａに保存される。
【００６５】
図５は、状態遷移情報の更新処理を示すフローチャートである。
ステップＳ１１では、ユーザによってメニューなどからインストールされているＭＩＤｌｅｔアプリケーションが起動されるか、または既に起動し一時停止している状態のＭＩＤｌｅｔアプリケーションを再開する。ステップＳ１２では、ＭＩＤｌｅｔアプリケーションが停止されたどうかを判断し、停止されていればステップＳ１３に進み、停止されていなければステップＳ１６に進んで、一時停止状態とする。
【００６６】
ステップＳ１３では、起動して停止したＭＩＤｌｅｔアプリケーションの実行回数を、設定情報記憶領域１３ａに記憶している状態遷移情報から取得する。ステップＳ１４では、取得した実行回数をカウントアップし、ステップＳ１５でカウントアップした実行回数を設定情報記憶領域１３ａに保存する。
【００６７】
ゲームのＭＩＤｌｅｔアプリケーションが既に３回実行された状態で、起動し停止した場合、ＭＩＤｌｅｔアプリケーションの実行回数情報は、カウントアップされ、４回になり設定情報記憶領域１３ａに保存される。
【００６８】
図６は、アイコン情報の更新処理を示すフローチャートである。
ステップＳ２１では、既にインストールされているＭＩＤｌｅｔアプリケーションのうち、自動更新情報の指定時刻が現在時刻と一致するものがあるかどうかを判断する。同じものがあればステップＳ２２に進み、同じものがなければ待機する。
【００６９】
ステップＳ２２では、自動更新情報に基づいて、指定時刻と現在時刻とが一致したＭＩＤｌｅｔアプリケーションが、アイコン情報の更新を自動で行う（自動更新Ｏｎ）と設定されているかどうかを判断する。自動で行う設定であればステップＳ２３に進み、自動で行わない設定であればステップＳ２１に戻る。
【００７０】
ステップＳ２３では、設定情報記憶領域１３ａからサーバ情報を取得し、自動的に制御部１４が通信制御部1２と送受信部１１を制御することでアイコン情報を配信するサーバ装置２に接続を行う。ステップＳ２４では、設定情報記憶領域１３ａに記憶されているアプリケーション実行回数と端末設定情報を取得し、ＭＩＤｌｅｔアプリケーション記憶領域１３ｂに記憶されているアプリケーション情報と状態遷移情報とを取得し、ステップＳ２５では、ＨＴＴＰリクエストなど取得した情報を含むリクエスト情報６を作成する。
【００７１】
ここで、サーバ装置２は、携帯電話装置１からリクエスト情報６を受信すると、リクエスト情報６に含まれる情報の内容に基づいて、アイコン情報の生成、または予め生成された複数のアイコン情報から選択を行い、新たなアイコン情報を含むレスポンス情報８を、リクエスト情報６を送信した携帯電話装置１に送信する。
【００７２】
ステップＳ２７では、アイコン情報と次回の自動更新用の指定時刻を含むレスポンス情報８を受信し、ステップＳ２８では、受信したアイコン情報をアイコン情報記憶領域１３ｃに上書き保存し、設定情報記憶領域１３ａに指定時刻を上書き保存する。
【００７３】
既にインストールされているゲームのＭＩＤｌｅｔアプリケーションの設定が自動更新Ｏｎであり、現在時刻が指定時刻になったときに、ゲームのハイスコアの情報などをリクエスト情報でサーバ装置２に送信し、サーバ装置２は、その使用者のハイスコアが予め定める基準値より高い場合はハイスコアユーザ向けのアイコン情報を選択して携帯電話装置１に送信する。使用者のハイスコアが基準値以下の場合は、上手ではないユーザ向けのアイコン情報を選択して携帯電話装置１に送信する。
【００７４】
更新したアイコン情報の表示処理について説明する。ユーザの操作によりＭＩＤｌｅｔアプリケーション一覧画面の表示が指示されると、制御部１４は各ＭＩＤｌｅｔアプリケーションに対応するアイコン情報を記憶部１３のアイコン情報記憶領域１３ｃから取得して表示する。アイコン情報はアプリケーションごとに管理されてアイコン情報記憶領域１３ｂに保存されている。
【００７５】
ＭＩＤｌｅｔアプリケーションのアイコン情報が更新されていた場合は、以前に表示されたアイコンとは異なる最新のアイコンがＭＩＤｌｅｔアプリケーション一覧画面に表示される。
【図面の簡単な説明】
【００７６】
【図１】本発明の実施の一形態である通信システム１００の構成を示す概略図である。
【図２】携帯電話装置１の構成を示すブロック図である。
【図３】サーバ装置２の構成を示すブロック図である。
【図４】アイコン情報の初期処理を示すフローチャートである。
【図５】状態遷移情報の更新処理を示すフローチャートである。
【図６】アイコン情報の更新処理を示すフローチャートである。
【符号の説明】
【００７７】
１  携帯電話装置
２  サーバ装置
３  通信ネットワーク
１０  アンテナ
１１，２０  送受信部
１２，２１  通信制御部
１３，２２  記憶部
１３ａ，２２ａ  設定情報記憶領域
１３ｂ，２２ｂ  ＭＩＤｌｅｔアプリケーション記憶領域
１３ｃ，２２ｃ  アイコン情報記憶領域
１４，２３  制御部
１５，２４  表示部
１６  音声復号化／符号化部
１７  マイク
１８  スピーカ
１９，２５  キーボード
１００  通信システム
【図１】
2006339835.tif 000003
【図２】
2006339835.tif 000004
【図３】
2006339835.tif 000005
【図４】
2006339835.tif 000006
【図５】
2006339835.tif 000007
【図６】
2006339835.tif 000008